(57)【要約】【課題】肩呼吸は横隔膜が機能的に弱って退化するために起こるので、この矯正訓練用の補助具が必要となる。【解決手段】人間の胸の中央部分を締め付ける布（網）製の布（網）袋取り付け用平膜基材１が布（網）袋用の布（網）材２上記基材１の表裏両面にそれぞれ左右２部屋に分割され張られている。砂鉄入りの袋３が上記の布（網）袋用の布（網）材２と上記の布（網）袋取り付け用平膜基材１とから成る布（網）袋にそれぞれ収納されている。布（網）製の首掛け用ベルト４が上記の布（網）袋取り付け用平膜基材１の上方の角の２点に取り付けた取り付け金具５、５に渡って結合されている。布（網）製のウエスト取り付け用ベルト６，６が上記の布（網）袋取り付け用平膜基材１の下方の角の２点からウエストを２重巻きできる長さにそれぞれ伸びている。【選択図】図１
2007151772.tif 000002
【特許請求の範囲】
【請求項１】
人間の胸の中央部分を締め付けるための布袋取り付け用平膜基材、該布袋取り付け用平膜基材の表裏両面にそれぞれ左右２部屋に分割され張られた布袋用の布材、該布袋用の布材と上記の布袋取り付け用平膜基材とから成る布袋にそれぞれ収納された砂鉄入りの袋、上記の布袋取り付け用平膜基材の上方の角の２点に渡って結合される首掛け用ベルト、上記の布袋取り付け用平膜基材の下方の角の２点からそれぞれ伸びるウエスト取り付け用ベルト、より構成されることを特徴とした呼吸矯正訓練補助用横隔膜バンド。
【発明の詳細な説明】
【技術分野】
【０００１】
本発明は、広くは吃音矯正用補助具に関するものであり、特に吃音矯正の一段階である正しい呼吸の仕方ができるようにする呼吸の矯正補助具に関するものである。就中、使用者の胸の中程を締め付ける横隔膜バンドを用いてその呼吸矯正の訓練に用いる補助具に関するものである。
【背景技術】
【０００２】
従来、吃音は精神的緊張が原因であるという考え方から精神的又は、心理的に問題を解決しようとしてきた。しかし、効果が殆ど得られないため、吃音の矯正に困難をきたしてきた。又、吃音は理論的に謎であり、その生態も明らかになっていない。
【０００３】
本課題を考えるには、先ず吃音とは何であるか、その原因と本体を理論的に解明することである。そして、その理論に基づく矯正の手法を確立することが本発明の目的である。そして、その手法に基づいて吃音矯正者の矯正訓練を指導するのである。しかして、本願発明が解決しようとする問題点は、まず、吃音者は正しい呼吸ができないと言うことである。そして、その呼吸の矯正には物理的な要件が必要であり、その矯正のための訓練に用いる補助具が要求される。
【特許文献１】特開２００２−２２１８９４
【発明の開示】
【発明が解決しようとする課題】
【０００４】
本願発明が主点とし、その呼吸の仕方の矯正の訓練をする呼吸改造法では、息は吸ってから吐くのではなく吐いてから息を吸う。したがって一般に行われている呼吸の仕方と逆になる。この呼吸法を腹圧呼吸法といっている。腹圧呼吸法は肩を使わないで横隔膜だけで呼吸する手法である。
【０００５】
腹圧呼吸法の利点としては、まず第一に肩呼吸を直し、これを腹式呼吸に矯正することができる。肩呼吸は横隔膜が機能的に弱って退化するために起こるので、この矯正訓練用の補助具が必要となる。したがって肩呼吸を矯正するためには横隔膜を活性化し、腹式呼吸ができるように再生させることが大切である。この目的のために本法では丹田力をつけ下腹部の力で訓練し順次腹式の力をつけるのである。腹式の力をつけるには、横隔膜を強制的に使用することが大切である。この目的のために横隔膜に呼気圧という荷重をかけ、腹圧呼吸を行う。したがって腹圧呼吸法では、息を吐く時が大切である。
【０００６】
肩呼吸をする者は、実例では正常な呼吸をする者の三分の一も息が吸えなくなっている者が多数いる。普通の者でも、例えば無呼吸症候群の者は肩呼吸になっているからかなり呼吸量が少なくなっていると考えられる。人間の呼吸は、その肺活量一杯に息を吸うのが理想である。肺活量は、魚のエラ呼吸に似ている。魚はエラを横に大きく開いて水から酸素を呼吸するが、これと同じように肺を横に開いて肺活量を大きくして呼吸するのが腹圧呼吸の要領である。
【０００７】
腹圧呼吸では、息を吐くときに横隔膜に荷重をかけて吐き、息を吸うときは脇腹を横に広げる。したがって、腹圧呼吸は、完全な胸腹呼吸で横隔膜の弾性を利用し肺活量を大きくするので呼吸量が増加する。さらに第三の利点は、体内エネルギーの改造である。肩呼吸と腹式呼吸とでは、体内エネルギーが正反対になっている。肩呼吸では上昇エネルギーが働き、これと逆に腹式呼吸では下降エネルギーによる呼吸になる。また、呼吸量からみると、肩呼吸ではあまり吸えないのに対し、腹式呼吸では十分に呼吸が吸える。腹圧呼吸法は日常的に有酸素呼吸を行い、酸素欠乏を防ぎ若さを維持する呼吸法である。そして、本願発明の訓練に使用の横隔膜バンドは、日常的な腹圧呼吸を可能にするのである。
【課題を解決するための手段】
【０００８】
本発明にかかる呼吸矯正訓練補助用横隔膜バンドは、以上の課題を解決するために、その補助具の膜状の基材の表裏にそれぞれ２室からなる四角の布袋が設けられたものとした。そして、それぞれの部屋には１００ｇの砂鉄入りのの袋が収納されている。さらに、その布袋の四隅の下方の２個所から２本のウエスト締め付け用ベルトと上方の２個所に２個の止め具と１本の首掛けようのベルトがついている。
【０００９】
その使用方法は、着用時の図のようにそれらのベルトでその布袋を胸の中央部分に締め付けるものである。その締め付け具合は、着用時の正面図のように、指を入れて少しゆとりがある程度の聴力とする。これで、あたかも横隔膜にバンドを掛けて絞めるような圧力を加える働きをするもので、それによりその呼吸が正常になるようその矯正の訓練時に使用する補助具である。
【００１０】
以下に、本発明にかかる呼吸矯正訓練補助用横隔膜バンドの具体的な構成を詳細に記載する。この発明は、まず、布袋取り付け用平膜基材がある。この布袋取り付け用平膜基材は、人間の胸の中央部分を締め付けるためのものである。つぎに、布袋用の布材がある。この布袋用の布材は、上記の布袋取り付け用平膜基材の表裏両面にそれぞれ左右２部屋に分割され張られたものである。そして、砂鉄入りの袋がある。この砂鉄入りの袋は、上記の布袋用の布材と上記の布袋取り付け用平膜基材とから成る布袋にそれぞれ収納されたものである。さらに、首掛け用ベルトがある。この首掛け用ベルトは、上記の布袋取り付け用平膜基材の上方の角の２点に渡って結合されるものである。最後に、ウエスト取り付け用ベルトがある。このウエスト取り付け用ベルトは、上記の布袋取り付け用平膜基材の下方の角の２点からそれぞれ伸びるものである。
【発明の効果】
【００１１】
本発明にかかる呼吸矯正訓練補助用横隔膜バンドは、以上のごとくになしたゆえに、上記の課題を解決して以下のごとき多大な効果が生じた。すなわち、本願発明の訓練での腹圧呼吸により、その吸気可能タイムがその訓練開始時には１０秒余程度という非常に弱かったものが、その開始から６ヶ月後には５０〜８０秒余と言う長いタイムに強化されているのである。そして、さらに具体的には次のように要約することができる。まず、肩呼吸の解消ができ、つぎに腹式呼吸の固定化となる。そして、肺活量の増大がはかれ、体内エネルギーの安定になる。その結果、健康の増進へと結びつくのである。さらに、横隔膜を活性化し、その上下運動により内蔵の働きをも強化する。
【発明を実施するための最良の形態】
【００１２】
本願発明は、吃音のため正常な呼吸の出来ない者に対して呼吸の仕方の矯正をするため使用する補助具である。特に、吃音矯正における呼吸の仕方を矯正するために使用する補助具である。これを着用時の図に示すようにその使用者の胸を圧迫するように着用して、その呼吸の仕方を矯正する訓練用補助具である。
【００１３】
本願発明の呼吸法改善訓練に使用の横隔膜バンドによる肩呼吸改造（腹式呼吸の強化）は以下のごとくである。まず、その訓練の目的であるが、横隔膜バンドは日常の呼吸時に使う。丹田部の訓練の成果と腹圧訓練の成果を生かし、腹圧呼吸法によって、肩呼吸を改造するのが目的である。肩呼吸を直すには腹式のエネルギーを固定化する必要がある。そのためには体内のエネルギー改造を行い、上昇エネルギーを下降エネルギー（腹式）に置換することが大切である。
【００１４】
機能的には顔面筋（口・顎）・喉・肩・胸・横隔神経・横隔膜および丹田部のエネルギーを重力方向の下降エネルギーとし、体内のすべての器官エネルギーを引力の法則にバランスさせることである。
【実施例１】
【００１５】
しかして、本発明にかかる呼吸矯正訓練補助用横隔膜バンドをその具体的な実施例を用いて添付の図面と共に詳細に述べる。まず、図１の平面図と図２の一部側面断面図に示すように、布（網）製の布（網）袋取り付け用平膜基材１がある。なお、本願発明の実施例では、この袋に網を用いた。この布（網）袋取り付け用平膜基材１は、人間の胸の中央部分を締め付けるためのものである。つぎに、布（網）袋用の布（網）材２がある。この布（網）袋用の布（網）材２は、図２に示すように上記の布（網）袋取り付け用平膜基材１の表裏両面にそれぞれ左右２部屋に分割され張られたものである。そして、砂鉄入りの袋３がある。この砂鉄入りの袋３は、上記の布（網）袋用の布（網）材２と上記の布（網）袋取り付け用平膜基材１とから成る布（網）袋にそれぞれ収納されるものである。かようにして、その左右の砂鉄袋３が、その矯正訓練者の左右の両胸を圧迫するのである。なお、本願発明で砂鉄を使用する理由は、適度の重利用があることと、胸の曲線にすんなりなじむためである。
【００１６】
さらに、布（網）製の首掛け用ベルト４がある。この首掛け用ベルトは、上記の布（網）袋取り付け用平膜基材１の上方の角の２点に取り付けた取り付け金具５、５に渡って結合されるものである。最後に、布（網）製のウエスト取り付け用ベルト６，６がある。このウエスト取り付け用ベルト６，６は、上記の布（網）袋取り付け用平膜基材１の下方の角の２点からウエストを２重巻きできる長さにそれぞれ伸びているものである。
【００１７】
しかして、以上のごとくに構成されているこの横隔膜バンドＢの使用法（日常呼吸用）配下の通りである。まず、この横隔膜バンドＢは布（網）製で使用時に首から合計３００グラムの力が下向きにかかるように装着する。
【００１８】
この横隔膜バンドＢの装着の仕方は、図３以下にに示すようにその順序にしたがって行う。まず、首掛けベルト４を図３のように首にかける。この首掛けベルト４には、その謳歌九番どの中心部の砂鉄袋３がその使用者の胸の中心あたりに位置するように、その一部に面状ファスナーが設けてあるから、その負荷の強弱は自由にできる。負荷は３００グラムくらいが適当だが、強弱は適当に調整する。つぎに、図４と５に示すように、２本のウエストベルト６、６を腰の部分でクロスさせて前方へ持っていく。
【００１９】
こうして、図５のように、そのウエストベルト６，６を腰骨のあたりで巻き付けてとめる。この時、そのウエストベルト６，６の張り具合を、そのウエストベルト６，６に指を入れて少しゆとりがある程度の張り具合に調整す。以上にして、その砂鉄袋３の部分が胸の中央にくる様に装着する（中身は砂鉄１００ｇ×２で、砂鉄２００ｇと張力１００ｇの合計３００ｇの力が首から下向きにかかるように使用するのである。
【産業上の利用可能性】
【００２０】
医療で使用のリハビリ補助具とかスポーツで使用のトレーニング補助具のように、この分野での矯正訓練用の補助具の発展が期待される。
【図面の簡単な説明】
【００２１】
【図１】本発明にかかる呼吸矯正訓練補助用横隔膜バンドの一実施例の正面図を示したものである。
【図２】図１のもののベルト関連の部分を省略した側面断面図である。
【図３】図１のものの装着の第１段階を示した正面図である。
【図４】図１のものの装着の第２段階を示した背面図である。
【図５】図１のものの装着の第３段階を示した正面図である。
【図６】図１のものの装着の第４段階を示した正面図である。
【図７】図１のものの装着の第５段階を示した正面図である。
【符号の説明】
【００２２】
１  平膜基材
２  布（網）材
３  砂鉄入りの袋
４  首掛け用ベルト
６  ウエスト取り付け用ベルト
【図１】
2007151772.tif 000003
【図２】
2007151772.tif 000004
【図３】
2007151772.tif 000005
【図４】
2007151772.tif 000006
【図５】
2007151772.tif 000007
【図６】
2007151772.tif 000008
【図７】
2007151772.tif 000009